(57)【要約】【課題】袋体構成部分が強固に結合され、下置きのときに袋内底部の商品が、地面など下置き部分と接触せず、底面が平面化して安定になり下置き時に横転せず、収納物が多量であっても手持ち運搬が容易な商品包装ネット袋を提供する。【解決手段】合成樹脂製フィルムよりなるＷ字型ガセット折りの底部フィルムシートの表面フィルムシート及び裏面フィルムシートの上部に、それぞれ合成樹脂製表面ネットシート及び裏面ネットシートを溶着し、側縁を溶着し切断してなる袋体であって、表面ネットシートの上端及び裏面ネットシートの上端に沿って、それぞれ合成樹脂製フィルムテープを溶着固定して開口部を形成してなる袋体において、ネットシートとフィルムテープとが表面及び裏面の開口部上端及び下端で溶着固定され、その熱圧着幅がいずれも１ｍｍ以上であり、表面及び裏面の底部フィルムシートと表面及び裏面のネットシートとの溶着の熱圧着幅がいずれも１ｍｍ以上であり、袋体両側縁の溶着の熱圧着幅がいずれも１ｍｍ以上である商品包装ネット袋。【選択図】  図２
2004196353.tif 000002
【特許請求の範囲】
【請求項１】
合成樹脂製フィルムシートよりなる断面Ｗ字型ガセット折りの底部フィルムシートの表面側フィルムシート及び裏面側フィルムシートの上部に、それぞれ合成樹脂製表面ネットシート及び裏面ネットシートを溶着し、袋体側縁を溶着してなる袋体であって、表面ネットシートの上端及び裏面ネットシートの上端に沿って、それぞれ合成樹脂製フィルムテープを溶着固定して開口部を形成してなる袋体において、ネットシートとフィルムテープとが表面及び裏面の開口部上端及び下端で溶着固定され、その熱圧着幅が１ｍｍ以上であり、底部フィルムシートの表面側フィルムシートの上部に表面ネットシート、底部フィルムシートの裏面側フィルムシートの上部に裏面ネットシートの下部が溶着固定され、その熱圧着幅が１ｍｍ以上であり、袋体両側縁が溶着と切断によって形成され、その溶着の熱圧着幅が１ｍｍ以上であることを特徴とする商品包装ネット袋。
【請求項２】
側縁の切断が溶断であることを特徴とする請求項１記載の商品包装ネット袋。
【請求項３】
ネット袋開口部に取手穴が溶断によって設けられてなることを特徴とする請求項１又は２記載の商品包装ネット袋。
【請求項４】
ネット袋開口部に設けられる取手穴の溶断が取手穴の上部を残して行われることを特徴とする請求項１、２又は３記載の商品包装ネット袋。
【請求項５】
合成樹脂製フィルムシートよりなる断面Ｗ字型ガセット折りの底部フィルムシートの表面側フィルムシートから延設された袋体表面側フィルムシートが形成されてなり、底部フィルムシートの裏面側フィルムシートの上部に裏面ネットシートが溶着固定されてなり、袋体側縁を溶着してなる袋体であって、裏面ネットシートの上端に沿って、合成樹脂製フィルムテープを溶着固定して開口部を形成してなる袋体において、裏面ネットシートとフィルムテープとが裏面の開口部上端及び下端で溶着固定され、その熱圧着幅が１ｍｍ以上であり、底部フィルムシートの裏面側フィルムシートの上部に裏面ネットシートの下部が溶着固定され、その熱圧着幅が１ｍｍ以上であり、袋体両側縁が溶着と切断によって形成され、その溶着の熱圧着幅が１ｍｍ以上であることを特徴とする商品包装ネット袋。
【請求項６】
表面側フィルムシートとフィルムテープとが表面の開口部上端及び下端で溶着固定され、その熱圧着幅が１ｍｍ以上であることを特徴とする請求項５記載の商品包装ネット袋。
【請求項７】
側縁の切断が溶断であることを特徴とする請求項５又は６記載の商品包装ネット袋。
【請求項８】
ネット袋開口部に取手穴が溶断によって設けられてなることを特徴とする請求項５、６又は７記載の商品包装ネット袋。
【請求項９】
ネット袋開口部に設けられる取手穴の溶断が取手穴の上部を残して行われてなることを特徴とする請求項５、６、７又は８記載の商品包装ネット袋。
【発明の詳細な説明】
【０００１】
【発明の属する技術分野】
本発明は、生鮮野菜や果物等の商品を収納し鮮度保持のため通気性の良い商品包装用ネット袋に関する。
【０００２】
【従来の技術】
従来の商品包装用ネット袋は、みかん、椎茸、じゃがいも等の青果物の包装に用いられているが、袋体は底部までネット袋で形成されており下置きのときに中の商品がネット穴を通して地面など下置き部分と接触し汚染される危険性があった。また、底部が平面でないため、不安定で横に転倒し易く、この場合にも中の商品がネット穴を通して地面など下置き部分と接触し汚染されることになった。また、従来のネット袋では、中に収納物が多いと開口部近辺や底部または、側縁部で破損するか、握持運搬がし難い欠点があった。
【０００３】
【発明が解決しようとする課題】
本発明は、袋体構成部分が強固に結合され、下置きのときに袋内底部の商品が、地面など下置き部分と接触せず、底面が平面化して安定になり下置き時に横転せず、収納物が多量であっても手持ち運搬が容易な商品包装ネット袋を提供することを目的としている。
【０００４】
【課題を解決するための手段】
本発明者らは、鋭意研究の結果、ネット袋体の特定部分の接合を特定の方法によって強固に熱圧着し、底部を合成樹脂製フィルムシートによる断面Ｗ字型ガセット折りにして、袋体の上部開口部に取手穴を溶断によって設けることによって、従来の商品包装ネット袋の欠点を改善できることに着目して本発明を完成するに至った。
すなわち本発明は、
（１）合成樹脂製フィルムシートよりなる断面Ｗ字型ガセット折りの底部フィルムシートの表面側フィルムシート及び裏面側フィルムシートの上部に、それぞれ合成樹脂製表面ネットシート及び裏面ネットシートを溶着し、袋体側縁を溶着してなる袋体であって、表面ネットシートの上端及び裏面ネットシートの上端に沿って、それぞれ合成樹脂製フィルムテープを溶着固定して開口部を形成してなる袋体において、ネットシートとフィルムテープとが表面及び裏面の開口部上端及び下端で溶着固定され、その熱圧着幅が１ｍｍ以上であり、底部フィルムシートの表面側フィルムシートの上部に表面ネットシート、底部フィルムシートの裏面側フィルムシートの上部に裏面ネットシートの下部が溶着固定され、その熱圧着幅が１ｍｍ以上であり、袋体両側縁が溶着と切断によって形成され、その溶着の熱圧着幅が１ｍｍ以上であることを特徴とする商品包装ネット袋、
（２）側縁の切断が溶断であることを特徴とする第１項記載の商品包装ネット袋、
（３）ネット袋開口部に取手穴が溶断によって設けられてなることを特徴とする第１項又は第２項記載の商品包装ネット袋、
（４）ネット袋開口部に設けられる取手穴の溶断が取手穴の上部を残して行われることを特徴とする第１項、第２項又は第３項記載の商品包装ネット袋、
（５）合成樹脂製フィルムシートよりなる断面Ｗ字型ガセット折りの底部フィルムシートの表面側フィルムシートから延設された袋体表面側フィルムシートが形成されてなり、底部フィルムシートの裏面側フィルムシートの上部に裏面ネットシートが溶着固定されてなり、袋体側縁を溶着してなる袋体であって、裏面ネットシートの上端に沿って、合成樹脂製フィルムテープを溶着固定して開口部を形成してなる袋体において、裏面ネットシートとフィルムテープとが裏面の開口部上端及び下端で溶着固定され、その熱圧着幅が１ｍｍ以上であり、底部フィルムシートの裏面側フィルムシートの上部に裏面ネットシートの下部が溶着固定され、その熱圧着幅が１ｍｍ以上であり、袋体両側縁が溶着と切断によって形成され、その溶着の熱圧着幅が１ｍｍ以上であることを特徴とする商品包装ネット袋、
（６）表面側フィルムシートとフィルムテープとが表面の開口部上端及び下端で溶着固定され、その熱圧着幅が１ｍｍ以上であることを特徴とする第５項記載の商品包装ネット袋、
（７）側縁の切断が溶断であることを特徴とする第５項又は第６項記載の商品包装ネット袋、
（８）ネット袋開口部に取手穴が溶断によって設けられてなることを特徴とする第５項、第６項又は第７項記載の商品包装ネット袋、及び
（９）ネット袋開口部に設けられる取手穴の溶断が取手穴の上部を残して行われてなることを特徴とする第５項、第６項、第７項又は第８項記載の商品包装ネット袋、
を提供するものである。
【０００５】
【発明の実施の形態】
本発明は二つの態様よりなる。すなわち、第一態様は、商品包装ネット袋の表面及び裏面の両面とも、上部の開口部は合成樹脂製フィルムシートと合成樹脂製ネットシートが溶着されてなり、開口部と底部との中間部が合成樹脂製ネットシートよりなり、底部が合成樹脂製フィルムシートよりなる断面Ｗ字型ガセット折りである。第二態様は、表面は開口部、中間部及び底部が一体の合成樹脂製フィルムシートで形成されてなり、さらに、表面側フィルムシートとフィルムテープとが表面の開口部上端及び下端で溶着固定されたものも第二態様となる。裏面の態様は第一態様と同じである。
以下に図面によって本発明をさらに詳細に説明する。これらの図面は一つの態様を示すものであって本発明はこれらの図面によりなんら限定されるものではない。
図１（ａ）は、商品包装ネット袋の平面図である。
図１（ｂ）は、商品包装ネット袋の他の態様の平面図である。
図２は、表裏両面ともネットシートの商品包装ネット袋の側断面図である。
図３は、表面がフィルムシートであり、裏面がネットシートの商品包装ネット袋の側断面図である。
図４は、商品包装ネット袋の断面斜視図である。
【０００６】
まず本発明の第一態様の説明をする。
本発明第一態様の商品包装ネット袋に用いる合成樹脂製フィルムシートは、熱融着可能であり、収納商品の荷重に耐える強度と柔軟性を有するものであれば公知のものを特に制限なく使用することができる。
本発明第一態様に用いる合成樹脂製フィルムシートは、例えば、高密度、中密度又は低密度ポリエチレン、ポリプロピレン、エチレンプロピレンコポリマー、ポリブチレンなどのポリオレフィン樹脂、ポリ塩化ビニル、ポリ塩化ビニリデンなどのビニル系樹脂、ナイロン６、ナイロン６６などのポリアミド樹脂、ポリエチレンテレフタレート、ポリブチレンテレフタレートなどのポリエステル樹脂、エチレン酢ビコポリマー、ポリビニルアルコール酢ビコポリマー、エチレンビニルアルコールコポリマー、ポリスチレン、ポリアセタール、ポリカーボネート、熱可塑性ポリウレタン等の熱可塑性樹脂を素材とする合成樹脂製ネットシートを使用することができる。高密度、中密度又は低密度ポリエチレン、ポリプロピレン又はエチレンプロピレンコポリマーなどのポリオレフィン樹脂、ナイロン６、ナイロン６６などのポリアミド樹脂、ポリエチレンテレフタレートなどのポリエステル樹脂等を単独又は共重合若しくは混合した熱可塑性樹脂によるフィルムシートを好適に使用することができる。
ポリエチレン、ポリプロピレン又はエチレンプロピレンコポリマー製のものを特に好適に使用することができる。
本発明第一態様に用いる合成樹脂製の合成樹脂製フィルムシートは、本発明第一態様に用いる合成樹脂製ネットシートと同じ材質のものを好適に使用することができる。合成樹脂製ネットシートと同じ材質のものを使用することにより相互の熱融着に際して親和性がよく、また、リサイクルにも好都合である。
【０００７】
本発明第一態様に用いる合成樹脂製フィルムシートは、本発明第一態様商品包装ネット袋の表裏両面の底部及び開口部を形成するために使用することができる。
本発明第一態様に用いる合成樹脂製フィルムシートは、本発明商品包装ネット袋の底部表面側フィルムシート３、底部裏面側フィルムシート３’及び底部ガセット４、及び上部開口部を形成するために使用することができる。また、上部開口部表面フィルムシート２、開口部裏面フィルムシート２’に使用することができる。上部開口部表面フィルムシート２、開口部裏面フィルムシート２’には、文字や絵模様を印刷することができる。表面及び裏面用に別々に作製することもでき、また、１枚に印刷した表裏両面を表裏両方にまたがって貼付し、中間で切断分離して表面及び裏面にすることもできる。後者の方法によれば表裏両方に印刷のずれを生じないようにすることができる。
本発明第一態様ネット袋に用いる合成樹脂製フィルムシートは、本発明商品包装ネット袋開口部用と、本発明商品包装ネット袋底部用とは同じ物であってもよく、また、開口部用と、底部用とは別種のものであってもよい。袋のサイズ、収納商品の重量、印刷適性などによって合成樹脂製フィルムシートの材質、厚さ、などを適宜選択することができる。
本発明第一態様ネット袋に用いる合成樹脂製フィルムシートの厚さは、本発明商品包装ネット袋のサイズ、収納商品の重量などによって適宜選択することができる。通常０.０５〜２.０ｍｍのものを使用することができる。好ましくは０.１〜１.０ｍｍのものを使用することができる。
【０００８】
本発明第一態様の商品包装ネット袋の表面は、ネット袋の開口部、中間部、及び底部表面側によって形成される。該表面には商品の説明などを印刷や絵模様などを表示することができる。印刷した紙やフィルムのラベルを中間部の表面ネットシート１に貼着することもでき、また、開口部表面フィルムシート２、または、底部表面側フィルムシート３に印刷することもできる。
本発明第一態様の商品包装ネット袋の裏面は、表面と同様に袋の開口部、中間部、及び底部裏面側によって形成される。表面とともに袋体を形成し、表面と関連して商品の説明などを印刷や絵模様などで開口部裏面フィルムシート２’、または、底部裏面側フィルムシート３’に表示することができ、また、印刷した紙やフィルムのラベルを裏面中間部の裏面ネットシート１’に貼着することもできる。
本発明第一態様の商品包装ネット袋の底部に用いる断面Ｗ字型ガセット折りは、ネット袋の底部の断面の形状に由来する。
本発明第一態様の商品包装ネット袋の底部に用いるガセット(ｇｕｓｓｅｔ)は、服飾、包装などで使用される用語であって「襞（ひだ）」（ＪＩＳ用語Ｚ−０１０８−１０４３）又は「ゆとり」を意味する。
本発明商品包装ネット袋の底部は、底部ガセット４によって、空き袋のときには、折り畳んで平面状に縮小でき、商品収納時には底面を拡大し容積を増加させることができる。また、底面を拡大し平面化することによって、商品を収納した袋を置いたとき安定であり、横に転倒するのを防ぐことができる。
本発明第一態様商品包装ネット袋の底部ガセット４の折り曲げ深さは、本発明商品包装ネット袋のサイズ、収納商品の重量などによって適宜選択することができる。図１（ａ）又は図１（ｂ）に示すように、底部ガセット４の折り曲げ頂点の線が本発明商品包装ネット袋の中間部のネットシートよりやや下にくるように折り曲げることができる。
本発明第一態様に用いるガセットの折り曲げ深さは、通常袋体の幅の１／５〜１／２のものを使用することができる。
本発明第一態様の商品包装ネット袋の底部は、合成樹脂製フィルムシートよりなり、断面Ｗ字型ガセット折りの底部ガセット４、底部フィルムシートの表面側フィルムシート３及び裏面側フィルムシート３’より形成されることができる。本発明第一態様の商品包装ネット袋の底部フィルムシートの表面側フィルムシート３は、その上部において合成樹脂製表面ネットシート１と溶着し、袋体表面を形成することができる。
本発明第一態様の商品包装ネット袋の底部フィルムシートの裏面側フィルムシート３’は、その上部において合成樹脂製裏面ネットシート１’と溶着し、袋体裏面を形成することができる。
【０００９】
本発明第一態様の商品包装ネット袋に用いる合成樹脂製ネットシートは、熱融着可能であり、通気性がよく、収納商品の荷重に耐える強度と柔軟性を有するものであれば公知のものを特に制限なく使用することができる。
本発明第一態様に用いる合成樹脂製ネットシートは、例えば、高密度、中密度又は低密度ポリエチレン、ポリプロピレン、エチレンプロピレンコポリマー、ポリブチレンなどのポリオレフィン樹脂、ポリ塩化ビニル、ポリ塩化ビニリデンなどのビニル系樹脂、ナイロン６、ナイロン６６などのポリアミド樹脂、ポリエチレンテレフタレート、ポリブチレンテレフタレートなどのポリエステル樹脂、エチレン酢ビコポリマー、ポリビニルアルコール酢ビコポリマー、エチレンビニルアルコールコポリマー、ポリスチレン、ポリアセタール、ポリカーボネート、熱可塑性ポリウレタン等の熱可塑性樹脂を素材とする合成樹脂製ネットシートを使用することができる。高密度、中密度又は低密度ポリエチレン、ポリプロピレン又はエチレンプロピレンコポリマーなどのポリオレフィン樹脂、ナイロン６、ナイロン６６などのポリアミド樹脂、ポリエチレンテレフタレートなどのポリエステル樹脂等を単独又は共重合若しくは混合した熱可塑性樹脂によるネットシートを好適に使用することができる。
ポリエチレン、ポリプロピレン又はエチレンプロピレンコポリマー製のものを特に好適に使用することができる。
本発明第一態様に用いる合成樹脂製の合成樹脂製ネットシートは、本発明第一態様に用いる合成樹脂製フィルムシートと同じ材質のものを好適に使用することができる。合成樹脂製フィルムシートと同じ材質のものを使用することにより相互の熱融着に際して親和性がよく、また、リサイクルにも好都合である。
本発明第一態様に用いる合成樹脂製ネットシートは、本発明第一態様商品包装ネット袋の表裏両面の中間部及び開口部を形成するために使用することができる。
本発明第一態様に用いる合成樹脂製表面ネットシート１は、その下部がネット袋の底部フィルムシートの表面側フィルムシート３の上部において溶着し、その上部が開口部において開口部表面フィルムシート２と溶着し、袋体表面を形成することができる。
本発明第一態様に用いる合成樹脂製裏面ネットシート１’は、その下部がネット袋の底部フィルムシートの裏面側フィルムシート３’の上部において溶着し、その上部が開口部において開口部裏面フィルムシート２’と溶着し、袋体裏面を形成することができる。
【００１０】
本発明第一態様に用いる合成樹脂製ネットシートの厚さは、本発明商品包装ネット袋のサイズ、収納商品の重量などによって適宜選択することができる。通常０.１〜２.０ｍｍのものを使用することができる。好ましくは０.２〜１.５ｍｍのものを使用することができる。
本発明第一態様に用いる合成樹脂製の表面ネットシート１及び裏面ネットシート１’の網目の大きさは、本発明商品包装ネット袋のサイズ、収納商品の重量などによって適宜選択することができる。通常１〜１０ｍｍのものを使用することができる。好ましくは２〜７ｍｍのものを使用することができる。
本発明第一態様ネット袋に用いる合成樹脂製の底部フィルムシートの表面側フィルムシート３と、合成樹脂製表面ネットシート１との溶着は、底部表面の熱圧着線６において熱圧着によって行うことができる。
本発明第一態様に用いる底部フィルムシートの表面側フィルムシート３と、合成樹脂製表面ネットシート１との熱圧着は、公知の熱圧着方法を特に制限することなく使用することができる。例えば、電熱加熱による金属片などを押圧することができる。又、高周波ウエルダー機を使用して熱圧着することができる。
本発明第一態様に用いる底部フィルムシートの表面側フィルムシート３と、合成樹脂製表面ネットシート１との熱圧着の位置は、十分な強度を生ずる限り特に制限することなく選択することができる。通常表面ネットシート１と底部表面側フィルムシート３との重合部分の中間の位置の熱圧着線６で両側縁部間を熱圧着することができる。
本発明第一態様ネット袋に用いる合成樹脂製の底部フィルムシートの裏面側フィルムシート３’と、合成樹脂製裏面ネットシート１’との溶着は、底部裏面の熱圧着線６’において熱圧着によって行うことができる。底部フィルムシートの裏面側フィルムシート３’と、合成樹脂製裏面ネットシート１’との熱圧着は、前記底部フィルムシートの表面側フィルムシート３と、合成樹脂製表面ネットシート１との熱圧着と同じ方法によって行うことができる。
【００１１】
本発明第一態様ネット袋に用いる袋体側縁は、袋体の上部開口部、中間部ネットシート及び底部フィルムシートの両側端縁であって、該袋体側端縁の内側の両側端縁部において表面及び裏面の上部開口部、中間部ネットシート及び底部フィルムシートを互いに溶着して袋体を形成することができる。
本発明第一態様ネット袋に用いる袋体側縁は、本発明第一態様ネット袋の表裏両面を上部開口端から底部下端まで重合してなる重合シートの側縁である。本発明第一態様ネット袋の両側縁部分は、上部の開口部では、表裏両面で開口部表面フィルムシート２と表面ネットシート１、開口部裏面フィルムシート２’と裏面ネットシート１’が重合されてなり、中間部では表面ネットシート１と裏面ネットシート１’が重合されてなり、底部では中間部との接合部分で、表裏両面で底部表面側フィルムシート３と表面ネットシート１、底部裏面側フィルムシート３’と裏面ネットシート１’が重合されている。
本発明第一態様ネット袋に用いる両側縁部分の熱圧着は、側縁部の熱圧着線７によって熱圧着することができる。本発明ネット袋の両側縁部分の熱圧着方法は本発明ネット袋の開口部及び中間部と底部との接合部分における熱圧着方法とおなじ方法によって行うことができる。
本発明第一態様ネット袋に用いる底部ガセット４の両側縁部分は、前記側縁部開口部及び中間部と底部との接合部分の熱圧着線７と同様に、熱圧着することができ、又、熱圧着することなく溶断によって溶着することができる。底部ガセット４の両側縁部分は合成樹脂製フィルムシートよりなるため、溶断によって溶着することのみで強固に接合することができる。
本発明第一態様の商品包装ネット袋に用いる合成樹脂製フィルムテープは、合成樹脂製フィルムシートよりなり、上部開口部表面フィルムシート２、及び開口部裏面フィルムシート２’に使用することができる。
【００１２】
本発明第一態様の商品包装ネット袋の開口部は、ネット袋の表面及び裏面上端に沿って、本発明に用いる合成樹脂製の表面ネットシート１と表面フィルムシート２及び裏面ネットシート１’と裏面フィルムシート２’とを溶着固定して形成することができる。
本発明第一態様に用いるネット袋の開口部は、収納商品の出し入れに用いるネット袋の開放端部を形成すると共に、商品包装ネット袋の上部を補強することができる。
本発明第一態様ネット袋に商品を収納して握持運搬するためには、この開口部にかなりの荷重が掛かる。このため本発明第一態様に用いる開口部は、開口部表面フィルムシート２と表面ネットシート１及び開口部裏面フィルムシート２’と裏面ネットシート１’とを重合して開口部上端及び下端の熱圧着線５及び５’で熱圧着したものを使用することができる。本発明第一態様に用いる開口部の上端と下端との間隔は、ネット袋の大きさ、収納商品の荷重、フィルムシートの厚さ、ネットシートの強度、取手穴８、８’商品表示印刷スペースなどとの関連により適宜選択して使用することができる。
本発明第一態様に用いる開口部の表面フィルムシート２と裏面フィルムシート２’は、通常は該フィルムシートに印刷表示などをするため、図２に示すように、表面、裏面とも袋の外側でネットシートと重合するのが好ましいが、必要に応じて袋の内側で重合することもできる。
本発明第一態様に用いる開口部は、開口部表面フィルムシート２と表面ネットシート１、開口部裏面フィルムシート２’と裏面ネットシート１’とを、公知の熱圧着方法を特に制限することなく使用して熱圧着することができる。例えば、電熱加熱による金属片などを押圧することができる。又、高周波ウエルダー機を使用して熱圧着することができる。
本発明第一態様に用いる開口部表面フィルムシート２と表面ネットシート１、開口部裏面フィルムシート２’と裏面ネットシート１’との熱圧着の位置は、十分な強度を生ずる限り特に制限することなく選択することができる。図１（ａ）、図１（ｂ）に示すように、該フィルムシートの上端開口端近辺で開口端に沿って両端まで、及び該フィルムシートの開口部下端近辺で下端に沿って両端までの表面２本及び裏面２本の熱圧着線によって好適に熱圧着することができる。
本発明第一態様に用いる開口部には、ネット袋を握持運搬するための取手穴８、８’を設けることができる。
【００１３】
本発明第一態様ネット袋に用いる熱圧着線の熱圧着部分の幅は、１）開口部表面フィルムシート２と表面ネットシート１との表面開口部の熱圧着線２本、２）開口部裏面フィルムシート２’と裏面ネットシート１’との裏面開口部の熱圧着線２本、３）底部ガセットを形成する底部表面側フィルムシート３と表面ネットシート１との底部表面の熱圧着線６、４）底部裏面側フィルムシート３’と裏面ネットシート１’との底部裏面の熱圧着線６’及び５）袋体側縁部の熱圧着線７両側の２本は、いずれも１ｍｍ以上にすることができる。本発明第一態様に用いる熱圧着線の熱圧着部分の幅は、本発明商品包装ネット袋のサイズ、収納商品の重量などによって適宜選択することができる。ネットシートとの熱圧着部分は点接着になりやすく、一定幅以上の熱圧着部分の幅にする必要がある。通常１ｍｍ〜６ｍｍのものを使用することができる。１ｍｍ未満では点状または線状接着になり強い力がかかると剥離する場合がある。６ｍｍを超えたものを使用しても本発明商品包装ネット袋の用途に対しては格別熱圧着強度を増大することにはならない。本発明第一態様に用いる熱圧着線の熱圧着部分の幅は、２ｍｍ〜５ｍｍのものを好適に使用することができる。
本発明第一態様ネット袋に用いる両側縁部分の切断は、両側縁端において、機械的に切断することもでき、また、溶断によって切断することもできる。両側縁部分でのネットシート繊維の分離を防ぐためには側縁溶断線９において溶断するのが好ましい。本発明第一態様ネット袋に用いる両側縁部分の切断は、好ましくは、袋体両側の側縁部の熱圧着線７の熱圧着と側縁溶断線９での溶断とを同時に行うことができる。また、隣接する袋体の側縁部を同時に熱圧着しその中間の側縁溶断線９で溶断することができる。
【００１４】
本発明第一態様ネット袋に用いる取手穴８、８’は、ネット袋の握持運搬を容易にするため、本発明に用いる開口部重合体シートを機械的切断または溶断によって切り抜いて設けることができる。本発明第一態様のネット袋開口部は表裏両面ともネットシート１、１’と開口部表面フィルムシート２、開口部裏面フィルムシート２’を重合してなるため、機械的に開口部を打ち抜くとネットシート切断部の剥離繊維が指に当たり痛みがある。溶断であればネットシート切断部の剥離繊維端が溶けて丸くなり、指当たり痛みが緩和される。
本発明第一態様ネット袋に用いる取手穴８、８’は、開口部重合体シートを溶断によって完全に切り抜くのではなく取手穴の上部は、開口部と連結したまま残すことができる。残留した表裏両面の取手穴重合体シートを、ネット袋の内側に曲げて握持することにより重量物の収納商品でも容易に運搬することができる。次に本発明第二態様を説明する。本発明第二態様は、表面の開口部、中間部及び底部ガセット４が連続した合成樹脂製の表面側フィルムシート１０を使用してなる。さらに、該表面側フィルムシート１０の開口部上端に沿って表面側フィルムシートと開口部表面フィルムシート２とが本発明第一態様同様に表面の開口部上端及び下端で溶着固定されてなる態様も本発明第二態様となる。本発明第二態様は、表面が合成樹脂製の表面側フィルムシートであることによって、本発明第一態様ネット袋より、表面印刷面積を広くとることができ、側縁強度を強くでき、ネットシートのようには伸びず、しかも通気性は裏面で確保される利点がある。
本発明第二態様に用いる袋体表面側フィルムシートは、底部フィルムシートの表面側フィルムシートの上部が袋体開口部の上部開放端まで延設され、開口部、中間部及び底部が連続した表面側フィルムシート１０を形成してなるものである。
本発明第二態様に用いる中間部は、本発明商品包装ネット袋の開口部下端から底部上端までの間の部分であって、ネット袋の胴体部を形成する。本発明第二態様裏面に用いる中間部は、開口部裏面フィルムシート２’の下端と底部フィルムシートの上端との間の部分であり、裏面ネットシート１’で形成される。本発明第二態様表面に用いる中間部は、開口部表面フィルムシート２の下端から底部ガセット部分までであるが、開口部表面フィルムシート２がない場合も本発明第二態様に含まれ、表面側フィルムシート１０と一体になっているため、裏面の中間部のごとく明確な区分はない。
【００１５】
【発明の効果】
本発明によって、袋体構成部分が強固に結合され、下置きのときに袋内底部の商品が下置き部分と接触せず、底面が平面化して安定になり、かつ、手持ち運搬が容易な、生鮮野菜や果物等の鮮度保持のため通気性の良い商品包装ネット袋を提供できる。
【図面の簡単な説明】
【図１】図１（ａ）は、商品包装ネット袋の平面図である。図１（ｂ）は、商品包装ネット袋の他の態様の平面図である。
【図２】図２は、表裏両面ともネットシートの商品包装ネット袋の側断面図である。
【図３】図３は、表面がフィルムシートであり、裏面がネットシートの商品包装ネット袋の側断面図である。
【図４】図４は、商品包装ネット袋の断面斜視図である。
【符号の説明】
１  表面ネットシート
１’  裏面ネットシート
２  開口部表面フィルムシート
２’  開口部裏面フィルムシート
３  底部表面側フィルムシート
３’  底部裏面側フィルムシート
４  底部ガセット
５  開口部表面の熱圧着線
５’  開口部裏面の熱圧着線
６  底部表面の熱圧着線
６’  底部裏面の熱圧着線
７  側縁部の熱圧着線
８  表面の取手穴
８’  裏面の取手穴
９  側縁溶断線
１０  表面側フィルムシート
【図１】
2004196353.tif 000003
【図２】
2004196353.tif 000004
【図３】
2004196353.tif 000005
【図４】
2004196353.tif 000006